(57)【要約】【課題】曲の終端などの再生位置にてレジューム再生を行っても、無音区間の再生をできるだけ短縮することができるオーディオ再生装置を提供する。【解決手段】電源ＯＦＦを検出すると、レジューム再生する音声データのメモリへの記録を制御するメモリ記録制御部が、現在ディスク型記録媒体から再生中の音声データの再生残り時間と所定の閾値とを比較して、メモリに記憶する所定時間の音声データの開始位置を決定する。再生残り時間が所定の閾値より短い場合は、現在再生中の音声データの次の音声データからメモリに記憶することで、できるだけ無音区間を減らしたレジューム再生ができる。【選択図】図１
2013196710.tif 000002
【特許請求の範囲】
【請求項１】
ディスク型記録媒体に記録された音声データをデコードするデコード処理部と、前記デコードされた信号をアナログ信号に変換するＤＡコンバータ部と、前記ディスク型記録媒体の再生制御を行う再生制御部と、電源ＯＦＦ時に前記ディスク型記録媒体に記録された音声データを所定時間分記録するメモリと、該音声データの前記メモリへの記録を制御するメモリ記録制御部と、前記メモリに記録された音声データの再生を制御するメモリ再生制御部と、該メモリ再生をディスク型記録媒体の再生に切り替えるディスク型記録媒体／メモリ切替制御部とを備え、
前記メモリ記録制御部は、電源ＯＦＦ時に、現在ディスク型記録媒体から再生中の音声データの再生残り時間と所定の閾値とを比較して前記メモリに記憶する所定時間の音声データの開始位置を決定することを特徴とするオーディオ再生装置。
【請求項２】
前記メモリ記録制御部は、現在ディスク型記録媒体から再生中の音声データの再生残り時間が所定の閾値より短い場合は、現在再生中の音声データの次の音声データから前記所定時間を前記メモリに記憶することを特徴とする請求項１に記載のオーディオ再生装置。
【請求項３】
前記メモリ記録制御部は、音声データを統計的に分析することで前記所定の閾値を調整することを特徴とする請求項１または２に記載のオーディオ再生装置。
【発明の詳細な説明】
【技術分野】
【０００１】
本発明はディスク型記録媒体に記録された音声データを再生するオーディオ再生装置に関し、特にレジューム再生をおこなうことができるオーディオ再生装置に関するものである。
【背景技術】
【０００２】
オーディオ再生装置では通常、電源を停止（以下、電源ＯＦＦと記す）し、しばらくしてから電源を起動（以下、電源ＯＮと記す）すると、電源ＯＦＦ時の最終モードから起動する。このとき、最終モードがＣＤ（Ｃｏｍｐａｃｔ  Ｄｉｓｃ）モードであれば電源ＯＦＦ時の再生場所から再生動作を開始するいわゆるレジューム再生を行う。しかしながらＣＤモードから起動する場合、ＣＤデッキのヘッド回転速度が一定速度になるまで待ち、最終再生位置にヘッド位置を合わせるなどの動作が伴うため、結果として音出しまでの時間がかかってしまうという問題がある。
【０００３】
特許文献１では、電源ＯＦＦ時に現在再生位置から数秒分の音データをメモリに保存し、電源ＯＮ時に保存されたメモリデータをデコードして再生を行い、その間にＣＤを駆動させ、途中からＣＤから読み取ったデータをデコードした音に切り替えることで音出し時間を高速化することを実現している。
【先行技術文献】
【特許文献】
【０００４】
【特許文献１】特開２００５−２９３７８４号公報
【発明の概要】
【発明が解決しようとする課題】
【０００５】
しかしながら特許文献１では、例えば電源ＯＦＦ時の現在再生位置が曲の終端である場合、電源ＯＮしても曲の終端および次曲の先頭位置による無音区間が存在するため、実際には音出しの高速化処理が行われているにも関わらず、音出しが遅いように感じてしまう場合がある。
【０００６】
本発明は、電源ＯＦＦ時のメモリ保存区間を制御し、できるだけ無音区間を減らすことで音出しの高速化処理の効果を引き出すことを目的とする。
【課題を解決するための手段】
【０００７】
上記目的を達成するために本発明のオーディオ再生装置は、ディスク型記録媒体に記録された音声データをデコードするデコード処理部と、デコードされた信号をアナログ信号に変換するＤＡコンバータ部と、ディスク型記録媒体の再生制御を行う再生制御部と、電源ＯＦＦ時にディスク型記録媒体に記録された音声データを所定時間分記録するメモリと、該音声データのメモリへの記録を制御するメモリ記録制御部と、メモリに記録された音声データの再生を制御するメモリ再生制御部と、該メモリ再生をディスク型記録媒体の再生に切り替えるディスク型記録媒体／メモリ切替制御部とを備え、メモリ記録制御部は、電源ＯＦＦ時に、現在ディスク型記録媒体から再生中の音声データの再生残り時間と所定の閾値とを比較してメモリに記憶する所定時間の音声データの開始位置を決定する。
【０００８】
また、メモリ記録制御部は、現在ディスク型記録媒体から再生中の音声データの再生残り時間が所定の閾値より短い場合は、現在再生中の音声データの次の音声データから所定時間をメモリに記憶する。
【０００９】
また、メモリ記録制御部は、音声データを統計的に分析することで所定の閾値を調整してもよい。
【発明の効果】
【００１０】
本発明のオーディオ再生装置によれば、曲の終端などの再生位置にてレジューム再生を行っても、できるだけ無音区間を減らし、音出し時間を早くすることができる。
【図面の簡単な説明】
【００１１】
【図１】本発明の実施の形態におけるオーディオ再生装置のブロック図
【図２】メモリ記録制御部１０６がメモリ１１０に音声データを保存する処理の流れを示すを示すフローチャート
【図３】メモリ記録制御部１０６にて設定される閾値の例を示す図
【図４】ＡＣＣ  ＯＦＦを検出した際に曲の再生残り時間がＴ秒以上有るときのレジューム再生処理の動作を模式的に表す図で、（ａ）ＡＣＣ  ＯＦＦを検出した時の動作を模式的に表す図、（ｂ）ＡＣＣ  ＯＮ以降の動作を模式的に表す図
【図５】ＡＣＣ  ＯＦＦを検出した際に曲の再生残り時間がＴ秒未満のときのレジューム再生処理の動作を模式的に表す図で、（ａ）ＡＣＣ  ＯＦＦを検出した時の動作を模式的に表す図、（ｂ）ＡＣＣ  ＯＮ以降の動作を模式的に表す図
【発明を実施するための形態】
【００１２】
以下、本発明の実施の形態について図面を参照しながら説明する。なお、以下で説明する本発明の実施の形態は、本発明の好ましい一具体例を示すものである。本実施の形態で示される数値、形状、構成要素、構成要素の配置及び接続形態などは、一例であり、本発明を限定する主旨ではない。本発明は、特許請求の範囲だけによって限定される。よって、以下の実施の形態における構成要素のうち、独立請求項に記載されていない構成要素は、本発明の課題を達成するのに必ずしも必要ではないが、より好ましい形態を構成するものとして説明される。
【００１３】
図１は本発明の実施の形態におけるオーディオ再生装置のブロック図である。本実施の形態においては、オーディオ再生装置は車載用であって、車のアクセサリ電源ＯＦＦの状態をＡＣＣ  ＯＦＦ、アクセサリ電源ＯＮの状態をＡＣＣ  ＯＮと呼ぶこととする。ＡＣＣ  ＯＦＦの状態であっても、オーディオ再生装置には常時電源（＋Ｂ）が供給されているものとする。
【００１４】
図１において、オーディオ再生装置１０は、オーディオマイコン、ＣＰＵなどのハードウエアとそれらハードウエア上で実行されるソフトウェアからなる信号処理部１００と、それに接続されるＣＤデッキ１０７、音声を出力するためのスピーカ１０８、操作のためのキースイッチ１０９、およびレジューム再生などで用いるメモリ１１０により構成される。
【００１５】
ＣＤデッキ１０７に挿入されたＣＤに記録された音声データは、デコード処理部１０１にてデコード処理され、ＤＡコンバータ部１０２にてデジタル信号をアナログ信号に変換した後、音声を聴取するためのスピーカ１０８にて音声として出力される。
【００１６】
ＣＤ再生制御部１０４は、ＣＤ情報（再生時間、タイトル名など）を管理してＣＤの再生を制御する。
【００１７】
ＣＤのレジューム再生処理においては、メモリ記録制御部１０６がメモリ１１０への音声データの保存処理を行い、メモリ再生制御部１０５がＡＣＣ  ＯＮ時のメモリ１１０の音声データの再生処理を行う。ＡＣＣ  ＯＮ後、ＣＤデッキ１０７が駆動した後に、ＣＤ／メモリ切替制御部１０３がメモリ再生からＣＤ再生に切り替える処理を行う。
【００１８】
以上のように構成されたオーディオ再生装置１０の信号処理部１００について、以下にその処理動作を説明する。
【００１９】
まず、ＣＤを再生中にＡＣＣ  ＯＦＦを検出した際、メモリ記録制御部１０６がメモリ１１０に音声データを保存する処理について図２のフローチャートを用いて説明する。
【００２０】
メモリ記録制御部１０６は現在再生している曲に関する情報（再生時間、曲番号、曲の総再生時間、ＣＤ内総曲数）をＣＤ再生制御部１０４より取得する（ステップＳ２０１）。
【００２１】
次に、メモリ記録制御部１０６は現在再生している曲の再生残り時間を算出し、一定の閾値Ｔ秒未満かどうかを判断する（ステップＳ２０２）。
【００２２】
もし再生残り時間がＴ秒以上である場合、曲の終端ではないと見なし、メモリ記録制御部１０６は現在再生位置からメモリ１１０に音声データを所定時間分保存する（ステップＳ２０４）。この保存される音声データの所定時間は、ＡＣＣ  ＯＮ後にＣＤデッキ１０７が起動して、所定の再生位置での再生が可能になるのに十分な時間であって、従来と同等でよい。
【００２３】
もし再生残り時間がＴ秒未満である場合、曲の終端であると判断するが、さらに現在再生している曲がＣＤ内の最終曲であるかどうかを判断する（ステップＳ２０３）。
【００２４】
現在再生している曲がＣＤ内の最終曲ではない場合は、メモリ記録制御部１０６は次の曲の初め／または先頭位置からメモリ１１０に音声データを保存し（ステップＳ２０５）、処理を終了する。ここで、「曲の初め」は曲と曲の間の境界であって、その位置から再生すると曲の初めの無音区間を含むが、「曲の先頭位置」とは音声の始まる位置であって、その位置から再生すると曲の初めの無音区間を含まないものとする。ステップＳ２０３で現在再生している曲がＣＤ内の最終曲である場合は、ＣＤ内の先頭曲の初め／または先頭位置からメモリ１１０に音声データを保存する（ステップＳ２０６）。
【００２５】
ここで曲の終端かどうかを判定する閾値Ｔの一例について説明する。閾値Ｔについては、音楽ソースに依存するところが大きいため、一概に定数を決めることは難しい。また、どこまでを曲の終端と見なすかはユーザの判断も伴う。そのため、例えば図３にあるように、標準値（２秒）、緩めの設定値（４秒）、きつめの設定値（１秒）といったいくつかの設定値を用意し、ユーザに選択してもらうことでメモリ記録制御を行うことができる。
【００２６】
次に、ＡＣＣ  ＯＮ後にＣＤ／メモリ切替制御部１０３がメモリ再生からＣＤ再生に切り替える処理について図４、５の模式図を用いて説明する。図４は、ＡＣＣ  ＯＦＦを検出した際に曲の再生残り時間がＴ秒以上有るときのレジューム再生処理の動作を模式的に表している。ここで、ＣＤに記録された現在再生中のａ曲目の曲の終端と、次の（ａ＋１）曲目の曲の先頭との間に時間間隔ｔ１の無音区間があるものとする。ＣＤデッキ１０７の光ピックアップの位置は曲の再生と共に、右方向に移動する。図４（ａ）において、ａ曲目の曲を再生中（図中の「（１）ＣＤ再生」）の光ピックアップの位置がＡの時に、ＡＣＣ  ＯＦＦ（図中の「（２）ＡＣＣ  ＯＦＦ」）が検出されると、ａ曲目の曲の再生残り時間ｔがＴ秒以上あるため、ＣＤ再生制御部１０４は所定時間ｔ２だけＣＤの再生を継続し、メモリ記録制御部１０６は再生された所定時間ｔ２の曲データをメモリ１１０に保存する（図中の「（３）メモリに記録」）。このとき、ＣＤ再生制御部１０４は所定時間ｔ２だけＣＤを再生した後の光ピックアップの再生位置Ｂを内部メモリ（図示せず）に記憶させる。
【００２７】
次に、図４（ｂ）において、ＡＣＣ  ＯＮ（図中の「（４）ＡＣＣ  ＯＮ」）を検出すると、ＣＤ／メモリ切替制御部１０３はメモリ再生制御部１０５に指示し、メモリ１１０に記憶されている所定時間ｔ２の曲データを再生させる（図中の「（５）メモリ曲を再生」）。また、ＡＣＣ  ＯＮの検出と同時に、ＣＤ／メモリ切替制御部１０３はＣＤ再生制御部１０４に指示して、ＣＤデッキ１０７の光ピックアップの位置を内部メモリに記憶した再生位置Ｂに移動させる。メモリ再生制御部１０５がメモリ１１０の曲データを再生中に光ピックアップが再生位置Ｂにくると、ＣＤ／メモリ切替制御部１０３はＣＤ再生制御部１０４に指示して、メモリ１１０の曲データの再生を完了するまで、光ピックアップを再生位置Ｂに待機させる。メモリ再生制御部１０５が再生を完了すると、ＣＤ／メモリ切替制御部１０３はＣＤ再生制御部１０４にＣＤの再生を開始させる(図中の「（６）ＣＤ再生」)。
【００２８】
図５は、ＡＣＣ  ＯＦＦを検出した際に曲の再生残り時間がＴ秒未満のときのレジューム再生処理の動作を模式的に表している。図５（ａ）において、ａ曲目の曲を再生中（図中の「（１）ＣＤ再生」）の光ピックアップの位置がＣの時に、ＡＣＣ  ＯＦＦ（図中の「（２）ＡＣＣ  ＯＦＦ」）が検出されると、ａ曲目の曲の再生残り時間ｔがＴ秒未満のため、ＣＤ再生制御部１０４はＣＤデッキ１０７の光ピックアップの位置を（ａ＋１）曲目の曲の先頭に移動させ、先頭から所定時間ｔ２だけＣＤを再生し、メモリ記録制御部１０６は再生された所定時間ｔ２の曲データをメモリ１１０に保存する（図中の「（３）メモリに記録」）。なお、（ａ＋１）曲目の曲の先頭位置については、前回再生時に内部メモリ（図示せず）に記憶されているものとする。特に、曲の先頭の無音区間について無くす必要が無い場合や、初めて再生する曲で先頭位置が内部メモリに記憶されていない場合には、曲の境界から所定時間ｔ２の曲データをメモリ１１０に保存するようにしてもよい。ＣＤ再生制御部１０４は所定時間ｔ２だけＣＤを再生した後の光ピックアップの再生位置Ｄを内部メモリ（図示せず）に記憶させる。
【００２９】
次に、図５（ｂ）において、ＡＣＣ  ＯＮ（図中の「（４）ＡＣＣ  ＯＮ」）を検出すると、ＣＤ／メモリ切替制御部１０３はメモリ再生制御部１０５に指示し、メモリ１１０に記憶されている所定時間ｔ２の曲データを再生させる（図中の「（５）メモリ曲を再生」）。また、ＡＣＣ  ＯＮの検出と同時に、ＣＤ／メモリ切替制御部１０３はＣＤ再生制御部１０４に指示して、ＣＤデッキ１０７の光ピックアップの位置を内部メモリに記憶した再生位置Ｄに移動させる。メモリ再生制御部１０５がメモリ１１０の曲データを再生中に光ピックアップが再生位置Ｄにくると、ＣＤ／メモリ切替制御部１０３はＣＤ再生制御部１０４に指示して、メモリ１１０の曲データの再生を完了するまで、光ピックアップを再生位置Ｄに待機させる。メモリ再生制御部１０５が再生を完了すると、ＣＤ／メモリ切替制御部１０３はＣＤ再生制御部１０４にＣＤの再生を開始させる(図中の「（６）ＣＤ再生」)。
【００３０】
以上説明したように、本発明のオーディオ再生装置によれば、曲の終端などの再生位置にてレジューム再生を行っても、できるだけ無音区間を減らし、音出し時間を早くすることができる。
【００３１】
なお、本実施の形態においては、閾値Ｔ秒を定数として設定することとしたが、ユーザに任意時間を設定させることでユーザが満足するレジューム再生処理にカスタマイズすることが可能となる。また、実際に音楽データの無音区間を計測し、統計的に分析して閾値を自動的に調整する制御部を設けることで、適切な閾値設定を行うことも可能である。
【００３２】
また、本実施の形態ではＣＤで説明したが、本発明はＣＤに限定されるものではない。ＣＤ以外にも機械的に記録媒体となるディスクを回転させるＭＤ（Ｍｉｎｉ  Ｄｉｓｋ）、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｋ）、ＨＤ（Ｈａｒｄ  Ｄｉｓｋ）のようなディスク型記録媒体においても、起動に時間がかかる。これら、ディスク型記録媒体においてもレジューム機能を搭載する場合には本発明を適用することができる。
【産業上の利用可能性】
【００３３】
本発明のオーディオ再生装置は、曲の終端などの再生位置にてレジューム再生を行っても、できるだけ無音区間を減らし、音出し時間を早くすることができるという効果を有し、ＣＤなどの音楽媒体等のオーディオ再生装置等として有用である。
【符号の説明】
【００３４】
１００    信号処理部
１０１    デコード処理部
１０２    ＤＡコンバータ部
１０３    ＣＤ／メモリ切替制御部
１０４    ＣＤ再生制御部
１０５    メモリ再生制御部
１０６    メモリ記録制御部
１０７    ＣＤデッキ
１０８    スピーカ
１０９    キースイッチ
１１０    メモリ
【図１】
2013196710.tif 000003
【図２】
2013196710.tif 000004
【図３】
2013196710.tif 000005
【図４】
2013196710.tif 000006
【図５】
2013196710.tif 000007